(57)【特許請求の範囲】
【請求項１】
孔版画を印刷するときに複数のインク色の混入を防止するためのインクブロックを、原版上に製版された色別版下画像間に配置して画像を印刷する孔版印刷装置の原稿に使用する原稿画像を供給する画像供給装置であって、
複数の孔版画画像を格納する孔版画画像データベースと、
電子ネットワークを介して前記孔版画画像データベース中の孔版画画像が選択されるに応じて、選択された当該孔版画画像に含まれる複数の色別版下画像間の距離ｄが前記インクブロックの幅ｗより大きいとき、これらの各色別版下画像を合成して、当該孔版画画像に対応する原稿画像を作成する制御部と、
作成した前記原稿画像を電子ネットワークを介して出力する出力部と
を具備することを特徴とする画像供給装置。
【請求項２】
選択された前記孔版画画像には電子ネットワークを介して任意の文字情報を付加することが可能であり、孔版画画像に文字情報が付加された場合、前記制御部は当該文字情報が合成された孔版画画像に対応する原稿画像を作成することを特徴とする請求項１に記載の画像供給装置。
【請求項３】
選択された前記孔版画画像の色は電子ネットワークを介して編集可能であり、孔版画画像の色が編集された場合、前記制御部は色が編集された孔版画画像に対応する原稿画像を作成することを特徴とする請求項１又は請求項２に記載の画像供給装置。
【請求項４】
前記原稿画像は選択された前記孔版画画像をマルチカラー分解することにより作成されることを特徴とする請求項１〜請求項３に記載の画像供給装置。
【請求項５】
前記原稿画像は選択された前記孔版画画像をフルカラー分解することにより作成されることを特徴とする請求項１〜請求項３に記載の画像供給装置。
【発明の詳細な説明】
【０００１】
【発明の属する技術分野】
本発明は、例えば、孔版画を印刷する孔版印刷装置の原版に使用する原稿画像を供給する処理に対し適用して好適な技術に関する。
【０００２】
【従来の技術】
一般に、年賀状やダイレクトメール等のように、一度に多数の宛先に送付する葉書の通信面側への情報の記入作業は、その作業に要する労力および時間を削減するために、印刷装置を使用することが多く、例えば、いわゆる「プリントゴッコ」等に代表される家庭用の孔版印刷装置が広く利用されている。この家庭用の孔版印刷装置は、実公昭５７−１５８１４号広報に記載されているように、原稿画像（＝版下画像）に基づいて孔版原版を作製し、この孔版原版上に所望のインクを載せ、孔版原版を葉書に押圧することで、原稿画像を紙面に印刷する。
【０００３】
【発明が解決しようとする課題】
ところで、上記の孔版印刷装置を利用した印刷作業の一形態として、例えば図１４に示すようなイラスト集から所望の原稿画像を切り取り、この原稿画像を利用して孔版原版を作成することがある。しかしながら、このようなイラスト集を利用した原稿画像の供給方法には、以下に示すような早急に解決すべき複数の技術的課題がある。
【０００４】
（１）イラスト集は手頃な価格で市場に提供されているが、その中に掲載されているイラストは数十カットもあるために、多くのユーザは掲載されているイラストの大半を使用せずに廃棄することとなり、多くの紙面が無駄となってしまう。
【０００５】
（２）イラスト集から切り取られた原稿画像には、製版後の孔版原版上にインクを載せる過程でインクが若干塗布されてしまうために、再度使用することができない。したがって、色編集作業などを失敗してしまった場合には、再度同じイラスト集を購入しなければならず、経済的負担が大きい。
【０００６】
（３）ユーザは、通常、イラスト集から選択した原稿画像に対して一言や自分の住所氏名などを書き添える若しくは別の用紙に書いて張り付けるが、その内容を書き損じたり、上手く貼り付けられないことがあり、書き添え若しくは編集作業に要する労力が非常に大きい。また、内容を書き損じたりした場合には、原稿画像まで無駄となってしまうことがあり、その場合には、前述の（２）の技術的課題と同様、再度同じイラスト集を購入しなければならず、経済的負担が大きい。
【０００７】
（４）イラスト集の中には原稿画像を孔版印刷装置を用いて印刷した場合の完成予想の印刷物のサンプルも掲載されているが、通常は１種類のサンプルしか掲載されていないので、インクの色やレイアウトを変更した場合の完成予想の印刷物を確認することができず、ユーザは自身で印刷作業を実行してみなければ、インク色やレイアウトを変更した結果得られる印刷物を確認することができない。
【０００８】
（５）最近、コンピュータシステムを介して原稿画像を供給する方法が提案されているが、この方法を用いた場合であっても、インク色を変更した場合の完成予想の印刷物を編集するためには面倒が作業が必要となる。また、孔版画画像がカラーである場合には、カラーデータが供給されるために、孔版印刷装置の原版作成に適した、色毎に版分けされた２値化画像（版下画像）データに変換する必要性があり、非常に面倒である。
【０００９】
本発明は、上記の従来までの画像供給方法が抱える多くの技術的課題を解決すべくなされたのものであり、その目的は、原稿画像を利用した原版作成作業に要する経費および労力を大幅に軽減する技術を提供することにある。
【００１０】
【課題を解決するための手段】
本発明に係る画像供給装置の特徴は、孔版画を印刷するときに複数のインク色の混入を防止するためのインクブロックを、原版上に製版された色別版下画像間に配置して画像を印刷する孔版印刷装置の原稿に使用する原稿画像を供給する画像供給装置であって、複数の孔版画画像を格納する孔版画画像データベースと、電子ネットワークを介して孔版画画像データベース中の孔版画画像が選択されるに応じて、選択された当該孔版画画像に含まれる複数の色別版下画像間の距離ｄがインクブロックの幅ｗより大きいとき、これらの各色別版下画像を合成して、当該孔版画画像に対応する原稿画像を作成する制御部と、作成した原稿画像を電子ネットワークを介して出力する出力部とを具備することにある。
【００１１】
また、本発明に係る画像供給方法の特徴は、孔版画を印刷する孔版印刷装置の原版に使用する原稿画像を供給する画像供給方法であって、電子ネットワークを介して孔版印刷装置を利用して印刷する孔版画画像を選択するステップと、選択された孔版画画像に対応する原稿画像を作成するステップと、作成された原稿画像を電子ネットワークを介して出力するステップとを有することにある。
【００１２】
ここで、「孔版画画像」とは孔版画にするべき最終予想画像、「原版」とは、感熱孔版原紙、「原稿画像」とは原版に穿孔するべき版下原稿である。
【００１３】
このような特徴を有する本発明によれば、ユーザは時期にあった孔版画の素材（原稿画像）を必要な分だけ得ることができるので、従来までのイラスト集を利用した孔版画の作成作業と比較して、労力および経費を大幅に削減することができる。また、電子ネットワークを介して１度ダウンロードした原稿画像データは、プリンタ装置を利用して何回も出力することができるので、印刷作業を失敗しても多くの経費が必要とされない。さらに、使用されないイラスト集が大量に廃棄されることがなくなるので、画像提供者にも孔版画画像を安価に提供することが可能となるなどのメリットがある。
【００１４】
【発明の実施の形態】
本発明に係る画像供給装置は、例えば、孔版画を印刷する孔版印刷装置の原版に使用する原稿画像を供給する処理に対し適用することができる。そこで、以下では、図１〜図１３を参照して、本発明に係る画像供給装置を上記の処理に対し適用、実施した、本発明の一実施形態に係る画像供給装置の構成およびその動作について詳しく説明する。
【００１５】
尚、本明細書において、「孔版画画像」とは孔版画にするべき最終予想画像、「原版」とは、感熱孔版原紙、「原稿画像」とは原版に穿孔するべき版下原稿をいう。
【００１６】
《画像供給システムおよび画像供給装置の構成》
始めに、図１を参照して、本発明の実施形態に係る画像供給システムおよび画像供給装置の構成について説明する。
【００１７】
本発明の実施形態に係る画像供給システムは、図１に示すように、画像供給装置２、複数のコンピュータシステム４ａ,４ｂ,４ｃおよびプリンタ装置５ａ,５ｂ,５ｃから構成され、画像供給装置２と各コンピュータシステム４ａ,４ｂ,４ｃは、電子ネットワーク３を介して接続、電子信号および電子データの送受信が可能な構成となっている。なお、ここでいう電子ネットワーク３とは、電気通信技術を利用した通信網全般を意味し、例えば、ＴＣＰ（Transmission Control Protocol）／ＩＰ（Internet Protocol）をベースとしたインターネットシステム等の利用が考えられる。
【００１８】
画像供給装置２は、図２に示すように、プログラム記憶部２ａ、孔版画画像情報データベース２ｂ、顧客情報データベース２ｃ、認証課金情報データベース２ｄ、制御部２ｅ、入力部２ｆおよび出力部２ｇを備える。
【００１９】
プログラム記憶部２ａは、画像供給装置２の起動プログラムや画像供給プログラムといった各種プログラムおよびプログラムの処理に必要な関連データなどを記憶し、例えば、磁気的、光学的記録媒体、若しくは半導体メモリ等といった、制御部２ｅが読み取り可能な記録媒体から構成される。なお、この記録媒体はＣＤ−ＲＯＭ（Compact Disc-Read Only Memory）等の可搬型の記録媒体やハードディスク等の固定的な媒体であっても良い。また、この記録媒体に格納するプログラムやデータ等は、その一部若しくは全部を電子ネットワーク等の伝送媒体を介して受信する構成にしても良く、さらにまた、記録媒体は電子ネットワーク上に構築された他のサーバの記録媒体であっても良い。また、プログラムを電子ネットワーク回線等の伝送媒体を介して伝送してインストールするような構成にしても良い。
【００２０】
孔版画画像情報データベース２ｂは、電子ネットワーク３を介してユーザに展示する孔版画画像に関する情報を年賀、暑中見舞い、寒中見舞いなどといったジャンル別に分類して格納する。なお、この実施の形態においては、孔版画画像情報データベース２ｂ内に格納される孔版画画像は、イメージスキャナを用いて孔版画を読み取ることにより生成されるデジタル画像データである。
【００２１】
顧客情報データベース２ｃは、版下画像供給サービスを利用するユーザに関する情報を格納する。具体的には、氏名、住所、年齢、会員番号、画像供給サービスを受けるためのパスワードなどといったユーザの属性情報に加え、例えば、ダウンロードした孔版画画像のファイル名、ダウンロード日時などのユーザ毎の版下画像供給サービス履歴情報が格納されている。
【００２２】
認証課金情報データベース２ｄは、原稿画像（＝版下画像）供給サービスを実行する際に必要なユーザの認証および課金のために必要な情報を格納する。具体的には、パスワードなど認証に必要な情報に加え、課金処理に必要となるユーザのクレジットカード番号、料金を引き落とす銀行口座番号などの情報が格納される。
【００２３】
制御部２ｅは、プログラム記憶部２ａ内に記憶されたプログラムに従って、プログラム内で指示された命令や処理を実行する。
【００２４】
入力部２ｆは、電子ネットワーク３を介してコンピュータシステム４から装置２内へと画像供給処理に関する各種情報を入力するために使用され、入力された情報は制御部２ｅに出力される。また、出力部２ｇは、電子ネットワーク３を介して装置２からコンピュータシステム４内へと画像供給処理に関する各種情報を出力するために使用される。
【００２５】
《画像供給装置の動作》
次に、図３を参照して、上記の実施形態の画像供給装置２の動作について詳しく説明する。
【００２６】
本発明の実施形態に係る画像供給装置２は、ユーザが、コンピュータシステム４ａを利用して、電子ネットワーク３を介して画像供給装置２とネットワーク接続すると（Ｓ１０１）、制御部２ｅが、電子ネットワーク３を介してユーザのコンピュータシステム４ａに画像供給処理と関係するメニュー画面を表示する（Ｓ２０１）。この実施の形態においては、Ｓ２０１の処理によって表示されるメニュー画面は、図５（ａ）に示すような構成となっており、年賀、暑中見舞い、寒中見舞いなどといった、孔版画画像のジャンルがメニュー表示されている。
【００２７】
画像供給装置２からメニュー画面が表示されると、ユーザは、メニュー画面を参照して、入力部２ｆを介して所望のジャンルを選択する（Ｓ１０２）。ジャンルが選択されると、制御部２ｅは、孔版画画像情報データベース２ｂ内から選択された用途メニューに対応する孔版画画像を検索、抽出し、抽出された孔版画画像の一覧をコンピュータシステム４ａに表示する（Ｓ２０２）。ここで、ユーザが、図５（ａ）に示すメニュー画面内から例えば年賀メニューを選択した場合には、制御部２ｅは、図５（ｂ）に示すような年賀関連の孔版画画像の一覧をコンピュータシステム４ａ上に表示する。
【００２８】
次に、画像供給装置２から出力された孔版画画像一覧を参照して、使用する孔版画画像をユーザが選択、注文すると（Ｓ１０３）、制御部２ｅは、認証・課金情報データベース２ｄを参照してユーザの認証、課金処理を行った後、選択された孔版画画像をマルチカラー分解し、色別の版下画像を生成する（Ｓ２０３）。マルチカラー分解とは、孔版画画像を色別の要素の画素に分解する処理であり、マルチカラー分解により生成される色別版下画像の数は孔版画に使用されている色の数となる。その具体的な処理については、例えば特開平９年第２９４２１３号公報を参照されたい。
【００２９】
孔版画画像から色別版下画像を生成すると、制御部２ｅは続いて、色別版下画像を合成して版下画像を生成する（Ｓ２０４）。この実施の形態においては、Ｓ２０４の処理は、図４に示すサブステップから構成される。以下、図４を参照して、このＳ２０４の処理について詳しく説明する。
【００３０】
孔版画には１つの版下に複数のインク色を載せることができるという利点がある。Ｓ２０４の処理は、この利点を利用して、色別版下画像を合成して版下画像を作成する処理である。具体的には、始めに、制御部２ｅが、カウンタｍ,ｎを０にリセットした後（Ｓ３０１）、カウンタｎを１にセットする（Ｓ３０２）。次に、カウンタｎにセットされた値が孔版画の中で使われている色の数ｎｃより大きいか否かを判別する（Ｓ３０３）。そして、ｎ≧ｎｃであればＳ２０４の処理を完了し、逆に、ｎ＜ｎｃの場合には、以後のＳ３０４〜Ｓ３１３の処理を実行する。
【００３１】
ｎ＜ｎｃである場合、制御部２ｅは、色別版下画像Ｐｎが存在するか否かを判別する（Ｓ３０６）。そして、判別の結果、色別版下画像Ｐｎが存在しない場合には、カウンタｎの値を１増数した後（Ｓ３１３）、再びＳ３０３の処理を実行する。一方、色別版下画像Ｐｎが存在する場合には、カウンタｍの値をｎ＋１にセットする（Ｓ３０５）。カウンタｍの値をｎ＋１にセットすると、制御部２ｅは続いて、色別の版下画像Ｐｍが存在するか否かを判別する（Ｓ３０６）。そして、判別の結果、色別版下画像Ｐｍが存在しない場合には、カウンタｍの値を１増数した後（Ｓ３１１）、Ｓ３１２の処理を実行する。一方、色別版下画像Ｐｍが存在する場合には、制御部２ｅは、図６に示すように、色別版下画像Ｐｎと色別版下画像Ｐｍの間の距離ｄを算出する（Ｓ３０７）。
【００３２】
色別版下画像Ｐｎと色別版下画像Ｐｍの間の距離ｄを算出すると、制御部２ｅは、距離ｄが、色別版下画像Ｐｎと色別版下画像Ｐｍのインクを混入を防止する、インクブロックの幅ｗ（実際は約３ｍｍ）よりも大きいか否かを判別する（Ｓ３０８）。そして、判別の結果、距離ｄがインクブロックの幅ｗよりも小さい場合には、インクが混入してしまうために色別版下画像Ｐｎと色別版下画像Ｐｍを同じ版下画像内に合成することができないとして、Ｓ３１１の処理に移行する。一方、距離ｄがインクブロックの幅ｗよりも大きい場合、色別版下画像Ｐｎと色別版下画像Ｐｍの間にインクブロックを導入し、インクの混入を防ぐことができるので、色別版下画像Ｐｎと色別版下画像Ｐｍを合成して、新たな色別版下画像Ｐｎを生成する（Ｓ３０９）。そして、合成された色別版下画像Ｐｍは削除する（Ｓ３１０）。
【００３３】
色別版下画像Ｐｍを削除すると、制御部２ｅは、カウンタｍの値を１増数し（Ｓ３１１）、カウンタｍの値が色の数ｎｃより大きいか否かを判別する（Ｓ３１２）。そして、ｍ≧ｎｃであれば、カウンタｎの値を１増数して（Ｓ３１３）、再びＳ３０６以後の処理を実行する。一方、ｍ＜ｎｃの場合には、Ｓ３０７以後の処理を再び実行する。
【００３４】
このように、このＳ２０４の処理においては、色別版下画像間の距離ｄと、インク色の混入を防止するために色別版下画像間に配置される、インクブロックの幅ｗとの大小関係を比較し、距離ｄが幅ｗよりも大きい場合には、インクブロックを配置して色別版下画像同士のインクの混入を防止することができるとして、色別版下画像を合成して１つの版下画像とする。また逆に、距離ｄが幅ｗよりも小さい場合には、インクブロックを配置することができないので、色別版下画像の合成を実行しない。これにより、インク色が混入しないように、色別版下画像を効率的に合成することが可能となる。
【００３５】
上記のＳ２０４の処理によって版下画像が生成されると、画像供給装置２は、例えば図７に示す出力画面の領域Ｂを介して、生成した版下画像をコンピュータシステム４ａ上に表示する（Ｓ２０５）。コンピュータシステム４ａ上に版下画像が表示されると、ユーザは、版下画像の色編集（色変更）を行うか否かを選択する（Ｓ１０４）。そして、色編集を行わない場合、Ｓ１０７以後の処理に移行する。一方、色編集を行う場合、ユーザは、図７に示す出力画面の領域Ｂ内に表示されている版下画像をマウスなどを用いて選択する（Ｓ１０５）。色編集を行う版下画像が選択されると、画像供給装置２は、例えば図８に示すような色編集画面を表示する。図８に示す色編集画面においては、画面内の領域Ａ，Ｂにそれぞれ、色編集後の版下画像および色編集作業に利用されるカラーパレットが表示されている。
【００３６】
色編集画面が表示されると、ユーザはカラーパレット内から希望の色を選択する（Ｓ１０６）。ユーザにより色が選択されると、画像供給装置２は、版下画像を選択された色に着色し、色編集画面の領域Ａに表示する。また、色編集後の版下画像を用いて全ての版下画像を合成することにより孔版画画像を生成し、生成した孔版画画像を表示する（Ｓ２０７）。この処理によりユーザは色編集の結果得られる孔版画画像を知ることができ、問題がある場合には、労力や経費を必要とせずに、適宜修正することができる。以上の処理により色編集作業が完了するが、色編集作業をさらに続ける場合には再びＳ１０４以後の処理に移行する。一方、色編集作業を完全に完了する場合には、次に、以下のＳ１０７以後の処理へ移行する。
【００３７】
Ｓ１０７の処理においては、ユーザは、一言添えや差出人の住所などといった、文章を追加するか否かを選択する（Ｓ１０７）。文章を追加する場合には、画像供給装置２は、例えば図９に示すような文章入力画面を表示する（Ｓ２０８）。文章入力画面が表示されると、ユーザは、文章入力画面の右欄に所望の文章を入力する（Ｓ１０８）。そして、ユーザが文章を入力すると、画像供給装置２は、ラスタライズ処理によって入力された文章をビットマップ形式に変換し、ビットマップ形式の文章を孔版画画像に合成する。そして、入力された文章が合成された孔版画画像を画面内の領域Ａに表示する（Ｓ２０９）。この処理によりユーザは文章を合成した結果得られる孔版画画像を知ることができ、問題がある場合には、労力や経費を必要とせずに、適宜修正することができる。以上の処理により文章合成作業が完了するが、文章合成作業をさらに続ける場合には再びＳ１０７以後の処理に移行する。一方、文章合成作業を完全に完了する場合には、次に、以下のＳ１０７以後の処理へ移行する。
【００３８】
文章を追加しない場合には、画像供給装置２は、電子ネットワーク３を介して、今までの処理により得られた版下画像をコンピュータシステム４ａにダウンロード出力する（Ｓ２１０）。なお、このダウンロード作業の際に、認証、課金処理を行うようにしても良い。版下画像のダウンロードが完了すると、ユーザは、プリンタ装置５ａを利用して版下画像を印刷、版下を作製し、製版、インク載せ、印刷という従来と同様な孔版印刷処理を実行する。
【００３９】
《実施の形態の効果》
以上述べてきたように、この実施の形態の画像供給装置によれば、ユーザは時期にあった孔版画の素材を必要な分だけ得ることができるので、従来までのイラスト集を利用した孔版画の作成作業と比較して、労力および経費を大幅に削減することができる。また、一回ダウンロードした版下画像データは、プリンタ装置を利用して何回も出力することができるので、印刷作業を失敗しても多くの経費が必要とされない。さらに、使用されない孔版画画像が大量に廃棄されることがないので、孔版画画像を安価に提供することが可能となる。
【００４０】
また、この実施形態の画像供給装置によれば、ユーザが選択した配色、デザインおよび技法の孔版画の予測画像を出力するので、はさみやのりを使った切り貼り作業など、実際に印刷するための作業を必要とせずに、孔版画の仕上がり具合を確認することができる。これにより、インクを載せて印刷し、気に入らない場合には、インクを掻きとって別のインクを載せるなどといった作業が不要となり、孔版画の印刷作業に要する労力および経費を大幅に削減することができる。
【００４１】
また、この実施形態の画像供給装置によれば、画像供給側は電子ネットワークを介して孔版画画像を供給するので、イラスト集を利用して孔版画画像を提供する場合のような物流コストが不要となる。また、ユーザがダウンロードした孔版画画像を調べることにより、使用される孔版画画像の傾向を掴むことができ、イラスト集に掲載する孔版画画像に対してその傾向を反映することができる。
【００４２】
《その他の実施形態》
以上、本発明者らによってなされた発明を上記実施形態によって記載したが、この開示の一部をなす論述および図面はこの発明を限定するものであると理解すべきではない。この開示から当業者には様々な代替実施の形態、実施例および運用技術が明らかとなろう。
【００４３】
例えば、上記の実施形態においては孔版画画像をマルチカラー分解することにより版下画像を生成していたが、孔版画画像をフルカラー分解し、Ｃ（シアン）Ｍ（マゼンダ）Ｙ（イエロー）版下画像を生成するようにしても良い。この処理は、ルックアップテーブルを参照して、イメージスキャナから得られたＲ（レッド）Ｇ（グリーン）Ｂ（ブルー）形態の孔版画画像をＣＭＹ形態に変換するＲＧＢ／ＣＭＹ変換により行う。ここで、上記のルックアップテーブルは、次の作業により作成すると良い。まず始めに、図１０に示すように、ＣＭＹの値を振ってパッチの版下画像を作成する（Ｓ４０１）。そして、パッチの版下画像を印刷して版下を作製し（Ｓ４０２）、製版、インク載せ、印刷を行うことにより孔版画を生成する（Ｓ４０３）。次に、孔版画を測色して各版下画像のＲＧＢ値を収集し（Ｓ４０４）、各版下画像のＣＭＹ値とＲＧＢ値の対応表を作成する（Ｓ４０５）。以上の処理によりＣＭＹ／ＲＧＢ対応表が得られるので、この対応表を逆引きすることにより、ＲＧＢ／ＣＭＹ色変換のルックアップテーブルを作成することができる。なお、上記の処理においてＣＭＹ／ＲＧＢの対応表を作成するためには、ＣＭＹで振る値を細かくし、多くのパッチの作成するようにすれば良い。また、ＣＭＹ／ＲＧＢの対応表のＲＧＢ値が飛んでいる場合には線形補間により飛んでいる値を推定すれば良い。
【００４４】
また、上記の実施形態においては、版下画像の配色をユーザが指定するようにしたが、例えば、色相回転によって着色された複数の孔版画画像を生成、出力し（図１１）、生成した孔版画画像の中から所望のものを選択させるようにしても良い。なお、この処理の場合、色相回転角は、予め指定されたものであっても、ユーザが指定するようにしてもどちらでも良い。
【００４５】
さらに、版下画像の着色処理を元の版下画像の色濃度分布に基づいて実行するようにしても良い。これにより、元の版下画像が有する立体感やゆらぎ（濃淡）を壊さずに、版下画像の着色処理を行うことが可能となる。
【００４６】
さらにまた、孔版画画像から予め濃淡画像と色マップを作成しておき、例えば図１２に示すような出力画面を介して着色処理を行うようにしても良い。ここで、濃淡画像とは、孔版画画像の中から明度のみを取り出して生成される画像である。また、色マップとは、孔版画内の各画素のインク色を抽出し、インク色をインク色を示す識別子に置換して生成される画像である。濃淡画像と色マップに基づいて着色処理を行うようにすれば、色領域毎の色編集作業を行うことが可能となる。
【００４７】
さらに、上記の実施形態においては、画像供給装置は、ユーザからの注文に応じて、孔版画画像から版下画像を作製するようにしたが、例えば、図１３に示すように、版下画像（＝原稿画像）情報データベース２ｈを設け、このデータベース２ｈ内に予め各孔版画画像に対応する版下画像を格納しておくようにしても良い。この構成によれば、余計な記憶容量が必要とはなるが、画像処理を実行する必要がないので、前述の実施形態と比較してＣＰＵパワーを抑えることが可能となる。
【００４８】
このように、本発明はここでは記載していない様々な実施の形態等を包含するということを理解すべきである。したがって、本発明はこの開示から妥当な特許請求の範囲に係る発明特定事項によってのみ限定されるものである。
【００４９】
【発明の効果】
本発明によれば、原稿画像を利用した原版作成作業に要する経費および労力を大幅に軽減することができる。
【図面の簡単な説明】
【図１】本発明の実施形態に係る画像供給システムの構成を示す模式図である。
【図２】図１に示す画像供給システム内の画像供給装置の構成を示す模式図である。
【図３】本発明の実施形態に係る画像供給方法を示すフローチャート図である。
【図４】本発明の実施形態に係る版下画像生成方法を示すフローチャート図である。
【図５】本発明の実施形態に係るメニュー画面および孔版画画像選択画面を示す模式図である。
【図６】本発明の実施形態に係る版下画像生成処理を説明するための模式図である。
【図７】本発明の実施形態に係る第１の色編集画面を示す模式図である。
【図８】本発明の実施形態に係る第２の色編集画面を示す模式図である。
【図９】本発明の実施形態に係る差出人住所氏名入力画面を示す模式図である。
【図１０】本発明の実施形態に係るルックアップテーブル作成方法を示すフローチャート図である。
【図１１】本発明の他の実施形態に係る色編集画面を示す模式図である。
【図１２】本発明の他の実施形態に係る色編集画面を示す模式図である。
【図１３】本発明の他の実施形態に係る画像供給装置の構成を示す模式図である。
【図１４】版下画像を説明するための図である。
【符号の説明】
１  画像供給システム
２  画像供給装置
２ａ  プログラム記憶部
２ｂ  孔版画画像情報データベース
２ｃ  顧客情報データベース
２ｄ  認証・課金情報データベース
２ｅ  制御部
２ｆ  入力部
２ｇ  出力部
２ｈ  版下画像（＝原稿画像）データベース
３  電子ネットワーク
４ａ,４ｂ,４ｃ  コンピュータシステム
５ａ,５ｂ,５ｃ  プリンタ装置
【図１】
0004048033.tif 000002
【図２】
0004048033.tif 000003
【図３】
0004048033.tif 000004
【図４】
0004048033.tif 000005
【図５】
0004048033.tif 000006
【図６】
0004048033.tif 000007
【図７】
0004048033.tif 000008
【図８】
0004048033.tif 000009
【図９】
0004048033.tif 000010
【図１０】
0004048033.tif 000011
【図１１】
0004048033.tif 000012
【図１２】
0004048033.tif 000013
【図１３】
0004048033.tif 000014
【図１４】
0004048033.tif 000015